(57)【要約】【課題】例えば、工事現場において防護シートを足場パイプに紐で取付ける際に、その紐の両端部を結ぶことなく容易に接続することのできる紐接続用クリップを提供する。【解決手段】指を引っ掛ける指掛け部１１と、指掛け部１１から立設された二つの立上り片１３のそれぞれに戻り片１４を略平行に連設した略Ｕ字状で、立上り片１３と戻り片１４との間の挟持間隙部１５で紐１の両端部をそれぞれ強固に挟持する二つの挟持部１２とで構成する。戻り片の先端部に、立上り片に対して斜め外方に向けられ、紐を挟持間隙部に案内するガイド片１６を連設すると良い。【選択図】        図１
2005226221.tif 000002
【特許請求の範囲】
【請求項１】
主として、建築現場において，足場パイプ（３）に防護シート（２）を紐（１）で取付ける際に，前記紐を結ぶ代わりにその両端部を接続するクリップであって、
指を引っ掛ける指掛け部（１１）と、
前記指掛け部から立設された二つの立上り片（１３）のそれぞれに戻り片（１４）を略平行に連設した略Ｕ字状で，前記立上り片と戻り片との間の挟持間隙部（１５）で前記紐の両端部をそれぞれ強固に挟持する二つの挟持部（１２）と、からなる紐接続用クリップ。
【請求項２】
主として、建築現場において，足場パイプ（３）に防護シート（２）を紐（１）で取付ける際に，前記紐を結ぶ代わりにその両端部を接続するクリップであって、
指を引っ掛ける指掛け部（１１）と、
前記指掛け部から立設された二つの立上り片（１３）のそれぞれに戻り片（１４）を略平行に連設した略Ｕ字状で，前記立上り片と戻り片との間の挟持間隙部（１５）で前記紐の両端部をそれぞれ強固に挟持する二つの挟持部（１２）と、
前記戻り片の先端部に連設され，前記立上り片に対して斜め外方に向けられ，前記紐を前記挟持間隙部に案内するガイド片（１６）と、からなる金属製の紐接続用クリップ。
【請求項３】
一本の弾力性に富む金属線を折曲げ成形して一体的に成形してなる請求項１または２に記載の紐接続用クリップ。
【発明の詳細な説明】
【技術分野】
【０００１】
本発明は、主として、建築現場において足場パイプに防護シートを紐で取付ける際に、その紐の両端部を結ぶことなく容易に接続することのできる紐接続用クリップに関するものである。
【背景技術】
【０００２】
従来、例えば、建築現場において、周囲への安全確保のために防護シートが設けられるが、この防護シートは、その鳩目１ａに通した紐を足場パイプに結びつけることによって取り付けられる（例えば、特許文献１および２参照）。
【特許文献１】特開平７−１７７９０９号公報
【特許文献２】特開平７−１７７９１０号公報
【発明の開示】
【発明が解決しようとする課題】
【０００３】
しかし、この紐を結ぶ作業は厄介であり、また、指先の器用さによって個人差があるため、場合によっては多くの時間を必要とする。また、工事完了後に防護シートを取り除く際には紐を解く必要があるが、この作業も厄介である。特に、紐が蝶結びでなく、固結びで結ばれていた場合には、それを解くために多大の時間と手間を必要とする。
【０００４】
本発明はこうした点に鑑み創案されたもので、例えば、工事現場において防護シートを足場パイプに紐で取付ける際に、その紐の両端部を結ぶことなく容易に接続することのできる紐接続用クリップを提供することを課題とする。
【課題を解決するための手段】
【０００５】
図１乃至図４を参照して説明する。請求項１に記載の紐接続用クリップ１０は、主として、建築現場において、足場パイプ３に防護シート２を紐１で取付ける際に、前記紐１を結ぶ代わりにその両端部を接続するクリップであって、指を引っ掛ける指掛け部１１と、前記指掛け部１１から立設された二つの立上り片１３のそれぞれに戻り片１４を略平行に連設した略Ｕ字状で、前記立上り片１３と戻り片１４との間の挟持間隙部１５で前記紐１の両端部をそれぞれ強固に挟持する二つの挟持部１２と、からなるものである。
【０００６】
請求項２に記載の紐接続用クリップ１０は、主として、建築現場において、足場パイプ３に防護シート２を紐１で取付ける際に、前記紐１を結ぶ代わりにその両端部を接続するクリップであって、指を引っ掛ける指掛け部１１と、前記指掛け部１１から立設された二つの立上り片１３のそれぞれに戻り片１４を略平行に連設した略Ｕ字状で、前記立上り片１３と戻り片１４との間の挟持間隙部１５で前記紐１の両端部をそれぞれ強固に挟持する二つの挟持部１２と、前記戻り片１４の先端部に連設され、前記立上り片１３に対して斜め外方に向けられ、前記紐１を前記挟持間隙部１５に案内するガイド片１６と、からなるものである。
【０００７】
請求項３に記載の紐接続用クリップ１０は、請求項１または２の発明において一本の弾力性に富む金属線を折曲げ成形して一体的に成形してなるものである。
【発明の効果】
【０００８】
請求項１に記載の紐接続用クリップ１０は、指掛け部１１と二つの挟持部１２とからなるので、当該指掛け部１１に指を引っ掛けた状態で、各挟持部１２の挟持間隙部１５で紐１の各端部を強固に挟持することができる。従って、紐１の両端部を結ぶことなく容易かつ強固に接続することができ、例えば、建築現場において足場パイプ３に防護シート２を容易かつ確実に取付けることができる。
【０００９】
また、工事終了後は、指掛け部１１に指を引っ掛けた状態で、紐１を引っ張ることによってその両端部を挟持間隙部１５から容易に外すことができる。これにより、防護シート２の取付けおよび取外し作業を容易なものとすることができる。
【００１０】
請求項２に記載の紐接続用クリップ１０は、請求項１に記載の発明と同様の作用効果を発揮すると共に、戻り片１４の先端部にガイド片１６を設けているので、紐１の端部を容易に挟持間隙部１５に案内することができる。従って、紐１の両端部をさらに容易に接続することができ、例えば、防護シート２の取付け作業をより容易なものとすることができる。
【００１１】
請求項３に記載の紐接続用クリップ１０は、請求項１および２に記載の発明と同様の作用効果を発揮すると共に、その全体を一本の弾力性に富む金属線を折曲げ成形して一体的に成形しているので、成形が容易であり、成形コストを廉価に抑えることができる。
【発明を実施するための最良の形態】
【００１２】
本発明に係る紐接続用クリップ１０の実施形態を、図１乃至図４に示す。
これは、建築現場において、足場パイプ３に防護シート２を紐１で取付ける際に、紐１を結ぶ代わりにその両端部を接続するクリップである。このクリップ１０は、一本の弾力性に富む金属線を折曲げ一体成形したものでも、合成樹脂でもよい。
【００１３】
この紐接続用クリップ１０は、指掛け部１１、挟持部１２およびガイド片１６で構成される。指掛け部１１は、指を引っ掛ける部分であり、リング状に設定されている。挟持部１２は、指掛け部１１から立設された二つの立上り片１３のそれぞれに戻り片１４を略平行に連設した略Ｕ字状であり、立上り片１３と戻り片１４との間の挟持間隙部１５で紐１の両端部をそれぞれ強固に挟持するものである。また、ガイド片１６は、戻り片１４の先端部に連設され、立上り片１３に対して斜め外方に向けられ、紐１を挟持間隙部１５に案内する役目を担う。
【００１４】
この紐接続用クリップ１０は次のようにして使用する。まず、隣接する二枚の防護シート２のそれぞれの鳩目１ａに紐１を通した後、その紐１を足場パイプ３に渡した状態で、紐１の両端部を対応する挟持部１２の挟持間隙部１５に侵入させる。この際、例えば右手の人差し指を指掛け部１１に引っ掛け、左手で紐１の端部を引っ張って緊張状態とし、その緊張状態にある紐１の端部をガイド片１６または立上り片１３に当てながら指掛け部１１を引くことによって、容易に挟持空隙部に侵入させることができる。
【００１５】
挟持間隙部１５に侵入した紐１の端部は、立上り片１３と戻り片１４によって強く挟持されるので、紐１の両端部は結ばれた場合と同じように接続され、防護シート２は足場パイプ３に強固に取付けられる。従って、紐１の両端部を結ぶ作業を必要とせず、防護シート２の取付け作業を容易に行うことができる。
【００１６】
また、工事が終了し、防護シート２を取り除く場合には、同様に、指掛け部１１に指を引っ掛けた状態で紐１を引っ張る。これによって、紐１の両端部は挟持間隙部１５から容易に引き抜かれる。従って、防護シート２の取外し作業も容易となる。
【００１７】
なお、本実施形態における紐接続用クリップ１０は、一本の金属線で一体成形しているが、本発明はこれに限定されるものではなく、複数の金属線によって成形することもできる。また、金属線に代えて樹脂材を使用することもできる。
【００１８】
さらに、指掛け部１１の形状はリング状に限定されるものではなく、凹状など指を掛止することができる形状であれば良い。また、挟持間隙部１５の幅は、紐１の太さに対応して、その侵入を許し、かつ強固に挟持する程度に設定する。
【産業上の利用可能性】
【００１９】
本発明に係る紐接続用クリップ１０は、工事現場における防護シート２取付けのための紐１を接続する場合に使用するに限定されるものではなく、あらゆる状況において、紐１の両端部を接続するために使用することができる。
【図面の簡単な説明】
【００２０】
【図１】本発明に係る紐接続用クリップの使用状態を示す斜視図である。
【図２】図１に示すクリップの斜視図（斜め横斜視図）である。
【図３】図１に示すクリップの正面図である。
【図４】図１に示すクリップの側面図である。
【符号の説明】
【００２１】
１      紐
２      防護シート
２ａ    鳩目
３      足場パイプ
１０    紐接続用クリップ
１１    指掛け部
１２    挟持部
１３    立上り片
１４    戻り片
１５    挟持間隙部
１６    ガイド片
【図１】
2005226221.tif 000003
【図２】
2005226221.tif 000004
【図３】
2005226221.tif 000005
【図４】
2005226221.tif 000006